(57)【要約】【課題】本発明はカラー原稿の画像データを受信側で分かりやすいデータとしてファクシミリ送信する複合装置を提供する。【解決手段】複合装置１は、カラー原稿のうち抽出するカラーデータが抽出カラー設定データとして操作表示部３で指定されると、設定された抽出カラー設定データを抽出カラー設定部９に記憶し、画像抽出部１０が、カラースキャナ４で読み取って画像メモリ１２に格納されているカラー原稿のカラー画像データのうち、抽出カラー設定部９に記憶されている抽出カラー設定データに基づいて、カラー部分の画像データを抽出し、画像合成部１３が、抽出した画像データと抽出カラー設定部９の抽出カラー設定データを合成して合成カラー抽出データとして画像メモリ１２に記憶し、画像メモリ１２のカラー原稿の画像データに合成カラー抽出データを付加した白黒画像データをファクシミリ送信する。【選択図】　　　　　図１
2004023539.tif 000002
【特許請求の範囲】
【請求項１】
カラー原稿の画像をカラーで読み取ってカラー画像データを出力する読取手段、データを用紙に記録出力する記録手段、データを記憶するデータ記憶手段及びファクシミリ通信手段等の各種資源を備え、当該各資源を使用してプリント処理、コピー処理、ファクシミリ通信処理等の各種機能動作処理を行うとともに、前記読取手段の読み取ったカラー原稿のカラー画像データを白黒データに変換して前記ファクシミリ通信手段からファクシミリ送信する複合装置において、前記カラー原稿のうちカラー範囲として抽出するカラーデータを抽出カラー設定データとして指定操作する操作手段と、前記操作手段で設定された抽出カラー設定データを記憶する抽出カラー設定記憶手段と、前記読取手段が読み取って前記データ記憶手段に格納されているカラー原稿のカラー画像データのうち前記抽出カラー設定記憶手段に記憶されている抽出カラー設定データに基づいて当該設定されているカラー部分の画像データを抽出するカラーデータ抽出処理を行う抽出手段と、当該抽出手段の抽出した画像データと前記抽出カラー設定記憶手段に記憶されている抽出カラー設定データを合成して合成カラー抽出データとして前記データ記憶手段に記憶させる画像合成手段と、を備え、前記データ記憶手段の前記カラー原稿の画像データに前記合成カラー抽出データを付加した白黒画像データをファクシミリ送信することを特徴とする複合装置。
【請求項２】
前記操作手段は、前記カラー原稿が複数ページの原稿であると、ページ毎に前記カラーデータ抽出処理を行うか否かの設定が可能であり、前記抽出カラー設定記憶手段は、当該操作手段でのページ毎のカラーデータの抽出の有無の設定データをも記憶し、前記抽出手段は、当該抽出カラー設定記憶手段にカラーデータの抽出を行うページとして記憶されている前記カラー原稿のページのカラー画像データについてのみ前記カラーデータ抽出処理を行うことを特徴とする請求項１記載の複合装置。
【請求項３】
前記画像合成手段は、前記合成カラー抽出データと前記データ記憶手段の前記カラー原稿の画像データとの位置合わせ用の位置合わせマークを、当該合成抽出データと当該カラー原稿の画像データに合成し、当該位置合わせマークを合成した合成抽出データとカラー原稿の画像データを前記データ記憶手段に記憶することを特徴とする請求項１または請求項２記載の複合装置。
【発明の詳細な説明】
【０００１】
【発明の属する技術分野】
本発明は、複合装置に関し、詳細には、カラー原稿の画像データを受信側で分かりやすいデータとしてファクシミリ送信する複合装置に関する。
【０００２】
【従来の技術】
ファクシミリ装置は、その普及に伴って、機能が向上し、カラー画情報を取り扱うカラーファクシミリ装置が出現している。
【０００３】
また、近時、複写機能、プリンタ機能及びファクシミリ機能等の複数の機能を備えて複合装置が出現しており、このような複合装置にあっては、カラースキャナやカラープリンタを備えて、カラースキャナで読み取ったから原稿のカラー画像をカラーで記録出力したり、カラーの画像データでファクシミリ送信する機能を備えている。
【０００４】
ところが、カラー画情報を送信する場合、送信先の装置がカラー画情報を記録出力することができないと、カラー画像を送信しても、通信時間が長くかかり、通信費用が高くつくだけで、カラー画像を有効に利用することができない。
【０００５】
そのため、受信側が白黒機能しか有していないときには、カラー画像を白黒の２値による２値画像符号化処理を行って画像データを送信している。
【０００６】
【発明が解しようとする課題】
しかしながら、このような従来の複合装置にあっては、原稿がカラー原稿でカラースキャナで読み取ったカラー画像データであっても、ファクシミリ送信する際に、受信側の装置が白黒機能しか有していない装置であるときには、カラー画像を白黒の２値による２値画像符号化処理を行って送信しているため、複合装置の利用性が悪いという問題があった。
【０００７】
すなわち、例えば、送信者が色による仕訳けをした表等のカラー画像データを送信する場合にも、受信側へは白黒の表となってしまい、仕訳けの区別ができず、利用性が悪いという問題があった。
【０００８】
そこで、請求項１記載の発明は、カラー原稿のうちカラー範囲として抽出するカラーデータを抽出カラー設定データとして操作手段で指定操作されると、当該設定された抽出カラー設定データを抽出カラー設定記憶手段に記憶し、抽出手段が、読取手段で読み取ってデータ記憶手段に格納されているカラー原稿のカラー画像データのうち抽出カラー設定記憶手段に記憶されている抽出カラー設定データに基づいて当該設定されているカラー部分の画像データを抽出するカラーデータ抽出処理を行い、画像合成手段が、当該抽出した画像データと抽出カラー設定記憶手段に記憶されている抽出カラー設定データを合成して合成カラー抽出データとしてデータ記憶手段に記憶させ、このデータ記憶手段のカラー原稿の画像データに合成カラー抽出データを付加した白黒画像データをファクシミリ送信することにより、受信側で、合成カラー抽出データの画像に基づいて、白黒出力される原稿の画像のカラー部分がどの部分であり、何色であるかが分かるようにし、利用性の良好な複合装置を提供することを目的としている。
【０００９】
請求項２記載の発明は、カラー原稿が複数ページの原稿であると、操作手段で、ページ毎にカラーデータ抽出処理を行うか否かの設定を行えるようにし、抽出カラー設定記憶手段で、当該操作手段でのページ毎のカラーデータの抽出の有無の設定データをも記憶し、抽出手段で、当該抽出カラー設定記憶手段にカラーデータの抽出を行うページとして記憶されているカラー原稿のページのカラー画像データについてのみカラーデータ抽出処理を行うことにより、複数ページのカラー原稿であってもカラーデータ抽出処理を必要としないページについては、ユーザが適宜カラーデータ抽出処理を行わないページとして設定として、不必要なカラーデータ抽出処理時間を省くとともに、送信データを削減し、処理時間を速くするとともに、通信時間と通信費を削減して、より一層利用性の良好な複合装置を提供することを目的としている。
【００１０】
請求項３記載の発明は、画像合成手段が、合成カラー抽出データとデータ記憶手段のカラー原稿の画像データとの位置合わせ用の位置合わせマークを、当該合成抽出データと当該カラー原稿の画像データに合成し、当該位置合わせマークを合成した合成抽出データとカラー原稿の画像データをデータ記憶手段に記憶することにより、受信側で原稿の画像と合成から抽出データの画像の位置合わせを位置合わせマークを利用して行えるようにして、白黒出力される原稿の画像のカラー部分がどの部分であるかをより一層正確に分かるようにし、より一層利用性の良好な複合装置を提供することを目的としている。
【００１１】
【課題を解決するための手段】
請求項１記載の発明の複合装置は、カラー原稿の画像をカラーで読み取ってカラー画像データを出力する読取手段、データを用紙に記録出力する記録手段、データを記憶するデータ記憶手段及びファクシミリ通信手段等の各種資源を備え、当該各資源を使用してプリント処理、コピー処理、ファクシミリ通信処理等の各種機能動作処理を行うとともに、前記読取手段の読み取ったカラー原稿のカラー画像データを白黒データに変換して前記ファクシミリ通信手段からファクシミリ送信する複合装置において、前記カラー原稿のうちカラー範囲として抽出するカラーデータを抽出カラー設定データとして指定操作する操作手段と、前記操作手段で設定された抽出カラー設定データを記憶する抽出カラー設定記憶手段と、前記読取手段が読み取って前記データ記憶手段に格納されているカラー原稿のカラー画像データのうち前記抽出カラー設定記憶手段に記憶されている抽出カラー設定データに基づいて当該設定されているカラー部分の画像データを抽出するカラーデータ抽出処理を行う抽出手段と、当該抽出手段の抽出した画像データと前記抽出カラー設定記憶手段に記憶されている抽出カラー設定データを合成して合成カラー抽出データとして前記データ記憶手段に記憶させる画像合成手段と、を備え、前記データ記憶手段の前記カラー原稿の画像データに前記合成カラー抽出データを付加した白黒画像データをファクシミリ送信することにより、上記目的を達成している。
【００１２】
上記構成によれば、カラー原稿のうちカラー範囲として抽出するカラーデータを抽出カラー設定データとして操作手段で指定操作されると、当該設定された抽出カラー設定データを抽出カラー設定記憶手段に記憶し、抽出手段が、読取手段で読み取ってデータ記憶手段に格納されているカラー原稿のカラー画像データのうち抽出カラー設定記憶手段に記憶されている抽出カラー設定データに基づいて当該設定されているカラー部分の画像データを抽出するカラーデータ抽出処理を行い、画像合成手段が、当該抽出した画像データと抽出カラー設定記憶手段に記憶されている抽出カラー設定データを合成して合成カラー抽出データとしてデータ記憶手段に記憶させ、このデータ記憶手段のカラー原稿の画像データに合成カラー抽出データを付加した白黒画像データをファクシミリ送信するので、受信側で、合成カラー抽出データの画像に基づいて、白黒出力される原稿の画像のカラー部分がどの部分であり、何色であるかが分かるようにすることができ、利用性を向上させることができる。
【００１３】
この場合、例えば、請求項２に記載するように、前記操作手段は、前記カラー原稿が複数ページの原稿であると、ページ毎に前記カラーデータ抽出処理を行うか否かの設定が可能であり、前記抽出カラー設定記憶手段は、当該操作手段でのページ毎のカラーデータの抽出の有無の設定データをも記憶し、前記抽出手段は、当該抽出カラー設定記憶手段にカラーデータの抽出を行うページとして記憶されている前記カラー原稿のページのカラー画像データについてのみ前記カラーデータ抽出処理を行うものであってもよい。
【００１４】
上記構成によれば、カラー原稿が複数ページの原稿であると、操作手段で、ページ毎にカラーデータ抽出処理を行うか否かの設定を行えるようにし、抽出カラー設定記憶手段で、当該操作手段でのページ毎のカラーデータの抽出の有無の設定データをも記憶し、抽出手段で、当該抽出カラー設定記憶手段にカラーデータの抽出を行うページとして記憶されているカラー原稿のページのカラー画像データについてのみカラーデータ抽出処理を行うので、複数ページのカラー原稿であってもカラーデータ抽出処理を必要としないページについては、ユーザが適宜カラーデータ抽出処理を行わないページとして設定として、不必要なカラーデータ抽出処理時間を省くことができるとともに、送信データを削減することができ、処理時間を速くするとともに、通信時間と通信費を削減して、より一層利用性を向上させることができる。
【００１５】
また、例えば、請求項３に記載するように、前記画像合成手段は、前記合成カラー抽出データと前記データ記憶手段の前記カラー原稿の画像データとの位置合わせ用の位置合わせマークを、当該合成抽出データと当該カラー原稿の画像データに合成し、当該位置合わせマークを合成した合成抽出データとカラー原稿の画像データを前記データ記憶手段に記憶するものであってもよい。
【００１６】
上記構成によれば、画像合成手段が、合成カラー抽出データとデータ記憶手段のカラー原稿の画像データとの位置合わせ用の位置合わせマークを、当該合成抽出データと当該カラー原稿の画像データに合成し、当該位置合わせマークを合成した合成抽出データとカラー原稿の画像データをデータ記憶手段に記憶するので、受信側で原稿の画像と合成から抽出データの画像の位置合わせを位置合わせマークを利用して行えるようにして、白黒出力される原稿の画像のカラー部分がどの部分であるかをより一層正確に分かるようにすることができ、より一層利用性を向上させることができる。
【００１７】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００１８】
図１〜図４は、本発明の複合装置の第１の実施の形態を示す図であり、図１は、本発明の複合装置の第１の実施の形態を適用した複合装置１の要部回路ブロック図である。
【００１９】
図１において、複合装置１は、主制御部２、操作表示部３、カラースキャナ４、補正部５、カラープリンタ６、符号圧縮変換部７、通信制御部８、抽出カラー設定部９、画像抽出部１０、色変換部１１、画像メモリ１２及び画像合成部１３等を備えており、上記各部は、バス１４に接続されている。
【００２０】
主制御部２は、ＣＰＵ（Ｃｅｎｔｒａｌ　Ｐｒｏｃｅｓｓｉｎｇ　Ｕｎｉｔ　）、ＲＯＭ（Ｒｅａｄ　Ｏｎｌｙ　Ｍｅｍｏｒｙ）及びＲＡＭ（Ｒａｎｄｏｍ　Ａｃｃｅｓｓ　Ｍｅｍｏｒｙ）等を備え、ＣＰＵが、ＲＡＭをワークメモリとして利用しつつＲＯＭ内のプログラムに基づいて、複合装置１の各部を制御して、複合装置１としての基本処理、すなわち、スキャナ処理、プリンタ処理、コピー処理及びファクシミリ通信処理等を実行するとともに、後述するカラー画像ファクシミリ送信制御処理を実行する。
【００２１】
操作表示部（操作手段）３は、テンキー、スタートキー、ファンクションキー等の複合装置１の操作に必要な各種操作キーを備えるとともに、ディスプレイ（例えば、液晶ディスプレイ）を備え、操作キーからは、複合装置１の各種機能を実行させるのに必要な各種命令が入力され、ディスプレイには、操作キーから入力された命令内容や複合装置１からオペレータに通知する各種情報が表示される。特に、操作表示部３は、送信先が白黒画像のみ処理可能な相手先であって、当該相手先にカラー原稿の画像データを送信する場合に、カラー原稿のうち、カラーであることを通知したい色の指定操作及び当該色指定を行うページ番号の指定操作等の操作が行われる。
【００２２】
カラースキャナ（読取手段）４は、例えば、ＣＣＤ（Ｃｈａｒｇｅ　Ｃｏｕｐｌｅｄ　Ｄｅｖｉｃｅ　）を利用したカラーイメージスキャナ等が利用されており、原稿を走査して、原稿のカラー画像を所定の解像度でかつカラーで読み取って画像データを出力する。
【００２３】
補正部５は、カラースキャナ４から入力された画像データをＲ、Ｇ、Ｂの３色のカラー画像データにして、補正を行ない、また、印刷時には、Ｙ（黄）、Ｍ（マゼンダ）、Ｃ（シアン）、Ｋ（黒）のカラー画像データに変換して、補正を行なう。
【００２４】
カラープリンタ（記録手段）６は、例えば、カラーインクジェットヘッドを用いたカラーインクジェット記録装置あるいは電子写真式カラー記録装置等が使用されており、補正部５からのＹ、Ｍ、Ｃ、Ｋのカラー画像データに基づいて、カラー画像を記録紙に記録出力するとともに、画像データが白黒画像データであるときには、白黒画像を記録紙に記録出力する。
【００２５】
色変換部１１は、ファクシミリ機能動作時に、補正部５からのカラー画像を２値化（白黒）して、送信画像データとして、画像メモリ１２に保存する。
【００２６】
画像メモリ（データ記憶手段）１２は、ＲＡＭまたはハードディスク等で構成され、２値化された画像データを保存する。
【００２７】
符号圧縮変換部７は、画像メモリ１２に保存された画像データをＭＨ（Ｍｏｄｉｆｉｅｄ　Ｈｕｆｆｍａｎ）、ＭＲ（Ｍｏｄｉｆｉｅｄ　Ｒｅａｄ）、ＭＭＲ（Ｍｏｄｉｆｉｅｄ　Ｍｏｄｉｆｉｅｄ　Ｒｅａｄ　）等のＩＴＵ−Ｔで勧告された標準符号に変換する。
【００２８】
通信制御部（ファクシミリ通信手段）８には、所定の回線、例えば、ＰＳＴＮ（Ｐｕｂｌｉｃ　Ｓｗｉｃｈｅｄ　Ｔｅｌｅｐｈｏｎｅ　Ｎｅｔｗｏｒｋ：一般公衆電話網）あるいはＩＳＤＮ（Ｉｎｔｅｇｒａｔｅｄ　Ｓｅｒｖｉｃｅｓ　Ｄｉｇｉｔａｌ　Ｎｅｔｗｏｒｋ：サービス総合デジタル網）等が接続されており、通信制御部８は、回線からの発呼に対して自動着呼し、また、回線への自動発呼処理を行うとともに、主制御部２の制御下で動作して、ＩＴＵ−Ｔで勧告されたファクシミリプロトコルに従ってファクシミリ通信の制御を行なって、符号圧縮変換部７から受け取った画像データをファクシミリ送信する。
【００２９】
抽出カラー設定部（抽出カラー設置記憶手段）９は、カラー原稿のうち、操作表示部３でカラー抽出する色として指定操作された色をＲ、Ｇ、Ｂのデータ（抽出カラー設定データ）として設定保存を行なう。
【００３０】
画像抽出部（抽出手段）１０は、補正部５から入力されたカラー原稿の画像データを抽出カラー設定部９に保存されたＲ、Ｇ、Ｂデータに基づいて画像抽出を行い、画像合成部１３に出力する。
【００３１】
画像合成部（画像合成手段）１３は、画像抽出部１０から入力される画像データと抽出カラー設定部９からのＲ、Ｇ、Ｂの設定内容を合成するとともに、２値化処理し、画像データとして画像メモリ１２に保存する。
【００３２】
次に、本実施の形態の作用を説明する。本実施の形態の複合装置１は、カラー原稿を白黒画像データで送信する際に、当該カラー原稿のうち、操作表示部３で抽出色としてカラー設定された色のカラー部分の画像データを抽出して、抽出した部分の画像データを原稿の画像データに付加して送信するとともに、当該抽出部分の画像データの色データを送信する。
【００３３】
すなわち、ユーザは、カラー原稿をファクシミリ送信するに際して、まず、当該カラー原稿から抽出すべき色（カラー）を操作表示部３から設定指定する。例えば、送信原稿が、図２の左端に送信原稿として示すように、「１２３４５」の部分が黒文字で、「６７８９０」の部分が赤文字である場合、ユーザは、図３に示すように、操作表示部３のディスプレイに表示される抽出カラー設定画面で、送信原稿からカラー部分として抽出すべき色（カラー）を設定する。なお、図３では、Ｒ、Ｇ、Ｂデータでカラー設定する場合を示しており、抽出カラーとして、赤色が設定されている状態、すなわち、Ｒが、２５５−２５５、Ｇが、０−０、Ｂが、０−０に設定されている場合を示している。なお、Ｒ、Ｇ、Ｂデータは、０−２５５までの濃度数値で表現され、全０は黒である。また、範囲設定が、０−０の場合には、その色の抽出はしない。
【００３４】
この操作表示部３で設定された抽出カラーの設定データは、主制御部２により抽出カラー設定データとして抽出カラー設定部９に保存される。
【００３５】
そして、複合装置１は、図４に示すように、操作表示部３で上述のように抽出色（抽出カラー）が設定指定されると、主制御部２が、抽出カラー設定部９に保存し（ステップＳ１０１）、ファクシミリ送信の操作が操作表示部３で行われかたどうかによりファクシミリ送信かどうかチェックする（ステップＳ１０２）。
【００３６】
ステップＳ１０２で、ファクシミリ送信でないときには、主制御部２は、ステップＳ１０１に戻って、上記同様に処理し、ファクシミリ送信であると、原稿がカラースキャナ４の原稿台にセットされているかチェックする（ステップＳ１０３）。
【００３７】
主制御部２は、ステップＳ１０３で、原稿がないときには、ステップＳ１０１に戻って、上記同様に処理し、原稿があると、カラースキャナ４により原稿の読み取りを行わせる（ステップＳ１０４）。
【００３８】
主制御部２は、カラースキャナ４の読み取った原稿の画像データを補正部５でＲ、Ｇ、Ｂの３色のカラー画像にして補正を行なわせ、色変換部１１に２値化（白黒処理）させた後、画像メモリ１２に画像データを保存する。そして、主制御部２は、抽出カラー設定部９に保存したＲ、Ｇ、Ｂデータ（抽出カラー設定データ）に基づいて、補正部５で補正されたカラー画像から画像を抽出し、この抽出した画像と抽出カラー設定部９に保存されている設定内容（抽出カラー設定データであるＲ、Ｇ、Ｂデータ）を画像合成部１３に合成及び２値化を行なわせて、画像メモリ１２に保存する（ステップＳ１０５）。
【００３９】
主制御部２は、画像メモリ１２に保存した送信画像データと抽出画像データに抽出カラー設定データの合成された抽出合成画像データを、符号圧縮変換部７に変換させ、通信制御部８に操作表示部３で指定された送信先に送信させる（ステップＳ１０６）。
【００４０】
１ページの送信処理を行うと、主制御部２は、ステップＳ１０３に戻って、上記同様に処理し、全てのページの処理を終了すると、処理を終了する。
【００４１】
したがって、送信先には、図２の右側に示したように、送信原稿の画像データ（送信画像データ）と、送信原稿のうち色指定された色部分として抽出した抽出画像データに抽出カラー設定データの合成された抽出合成画像データが送信される。
【００４２】
このように、本実施の形態の複合装置１は、カラー原稿のうちカラー範囲として抽出するカラーデータを抽出カラー設定データとして操作表示部３で指定操作されると、当該設定された抽出カラー設定データを抽出カラー設定部９に記憶し、画像抽出部１０が、カラースキャナ４で読み取って画像メモリ１２に格納されているカラー原稿のカラー画像データのうち抽出カラー設定部９に記憶されている抽出カラー設定データに基づいて当該設定されているカラー部分の画像データを抽出するカラーデータ抽出処理を行い、画像合成部１３が、当該抽出した画像データと抽出カラー設定部９に記憶されている抽出カラー設定データを合成して合成カラー抽出データとして画像メモリ１２に記憶させ、この画像メモリ１２のカラー原稿の画像データに合成カラー抽出データを付加した白黒画像データをファクシミリ送信する。
【００４３】
したがって、受信側で、合成カラー抽出データの画像に基づいて、白黒出力される原稿の画像のカラー部分がどの部分であり、何色であるかが分かるようにすることができ、利用性を向上させることができる。
【００４４】
図５及び図６は、本発明の複合装置の第２の実施の形態を示す図である。
【００４５】
なお、本実施の形態は、上記第１の実施の形態の複合装置１と同様の複合装置に適用したものであり、本実施の形態の説明においては、上記第１の実施の形態で用いた符号をそのまま用いて説明する。
【００４６】
本実施の形態は、カラー抽出を行うページを指定して、当該指定されたページについてのみカラー抽出を行うものである。
【００４７】
本実施の形態の複合装置１は、抽出カラー設定モードで、操作表示部３のディスプレイに、図５に示すように、カラーの設定項目とページ項目を表示し、ユーザは、カラー抽出を行うページをページ項目に設定入力し、抽出するカラーをカラー項目に設定入力する。
【００４８】
この場合、ページ設定としは、例えば、続きページの時は「−」（ハイフン）を用い、不連続な複数ページの指定は、「、」（カンマ）で行なう。
【００４９】
図５では、ページ項目に、ページ１、３、６が設定されており、抽出するカラーとして、赤（Ｒ）が設定されている。
【００５０】
そして、操作表示部３でページ項目とカラー項目の設定が行われると、主制御部３が、ページ毎の抽出する画像データのＲ、Ｇ、Ｂの設定内容を抽出カラー設定部９に保存する。
【００５１】
主制御部２は、ファクシミリ送信時に、送信原稿のページカウントを行ない、抽出カラー設定部９に設定されたページと同じ時に、補正部５の画像データから抽出カラー設定部９に設定されたカラー（色）の画像データを抽出する制御を行なう。ページが０の場合には抽出を行なわない。
【００５２】
すなわち、複合装置１は、図６に示すように、ユーザが操作表示部３でカラー抽出すべきページとカラーを設定すると、主制御部２が、抽出カラー設定部９に保存し（ステップＳ２０１）、ファクシミリ送信の操作が操作表示部３で行われたかどうかによりファクシミリ送信かどうかチェックする（ステップＳ２０２）。
【００５３】
ステップＳ２０２で、ファクシミリ送信でないときには、主制御部２は、ステップＳ２０１に戻って、上記同様に処理し、ファクシミリ送信であると、原稿がカラースキャナ４の原稿台にセットされているかチェックする（ステップＳ２０３）。
【００５４】
主制御部２は、ステップＳ２０３で、原稿がないときには、ステップＳ２０１に戻って、上記同様に処理し、原稿があると、カラースキャナ４により原稿の読み取りを行わせ、読み取った原稿のページのカウントを行う（ステップＳ２０４）。主制御部２は、カラースキャナ４の読み取った原稿の画像データを補正部５でＲ、Ｇ、Ｂの３色のカラー画像にして補正を行なわせ、色変換部１１に２値化（白黒を行ない）させた後、画像メモリ１２に画像データを保存する。
【００５５】
主制御部２は、カラースキャナ４の読み取った原稿のページが抽出カラー設定部９に設定保存されている抽出ページ（設定ページ）とカウントページを比較して、カウントページが抽出ページであるかチェックする（ステップＳ２０５）。
【００５６】
ステップＳ２０５で、カウントページが抽出ページであると、主制御部２は、抽出カラー設定部９に保存したＲ、Ｇ、Ｂデータ（抽出カラー設定データ）に基づいて、補正部５で補正されたカラー画像から画像を抽出し、この抽出した画像と設定内容を画像合成部１３に合成及び２値化を行なわせて、画像メモリ１２に保存する（ステップＳ２０６）。
【００５７】
主制御部２は、画像メモリ１２に保存した送信画像データと抽出合成画像データを、符号圧縮変換部７に変換させ、通信制御部８に操作表示部３で指定された送信先に送信させる（ステップＳ２０７）。
【００５８】
１ページの送信処理を行うと、主制御部２は、ステップＳ２０３に戻って、上記同様に処理し、ステップＳ２０５で、カウントページが抽出ページでないときには、ステップＳ２０７に移行して、画像メモリ１２に保存した送信画像データのみを符号圧縮変換部７に変換させ、通信制御部８に操作表示部３で指定された送信先に送信させる（ステップＳ２０７）。
【００５９】
そして、主制御部２は、全てのページの処理を終了すると、処理を終了する。
【００６０】
このように、本実施の形態の複合装置１は、カラー原稿が複数ページの原稿であると、操作表示部３で、ページ毎にカラーデータ抽出処理を行うか否かの設定を行えるようにし、抽出カラー設定部９で、当該操作表示部３でのページ毎のカラーデータの抽出の有無の設定データをも記憶し、画像抽出部１０で、当該抽出カラー設定部９にカラーデータの抽出を行うページとして記憶されているカラー原稿のページのカラー画像データについてのみカラーデータ抽出処理を行う。
【００６１】
したがって、複数ページのカラー原稿であってもカラーデータ抽出処理を必要としないページについては、ユーザが適宜カラーデータ抽出処理を行わないページとして設定として、不必要なカラーデータ抽出処理時間を省くことができるとともに、送信データを削減することができ、処理時間を速くするとともに、通信時間と通信費を削減して、より一層利用性を向上させることができる。
【００６２】
図７及び図８は、本発明の複合装置の第３の実施の形態を示す図である。
【００６３】
なお、本実施の形態は、上記第１の実施の形態の複合装置１と同様の複合装置に適用したものであり、本実施の形態の説明においては、上記第１の実施の形態で用いた符号をそのまま用いて説明する。
【００６４】
本実施の形態は、カラー抽出を行う対象の元の原稿の画像データとカラー抽出した画像データとの位置合わせを行うための位置合わせマークを、原稿の画像データとカラー抽出した画像データに付加するものである。
【００６５】
そこで、本実施の形態の複合装置１は、主制御部２が、カラー抽出を行う前の原稿の画像データとカラー抽出した画像データとの位置合わせマークの合成制御を行ない、また、画像合成部１３が、画像メモリ１２に保存された画像データに位置合わせマークを付加し、主制御部２の制御下で、画像合成して、再度、画像メモリ１２に保存する。
【００６６】
すなわち、複合装置１は、図７に示すように、ユーザが操作表示部３でカラー抽出すべきページとカラーを設定すると、主制御部２が、抽出カラー設定部９に保存し（ステップＳ３０１）、ファクシミリ送信の操作が操作表示部３で行われたかどうかによりファクシミリ送信かどうかチェックする（ステップＳ３０２）。
【００６７】
ステップＳ３０２で、ファクシミリ送信でないときには、主制御部２は、ステップＳ３０１に戻って、上記同様に処理し、ファクシミリ送信であると、原稿がカラースキャナ４の原稿台にセットされているかチェックする（ステップＳ３０３）。
【００６８】
主制御部２は、ステップＳ３０３で、原稿がないときには、ステップＳ３０１に戻って、上記同様に処理し、原稿があると、カラースキャナ４により原稿の読み取りを行わせ、読み取った原稿のページのカウントを行う（ステップＳ３０４）。主制御部２は、カラースキャナ４の読み取った原稿の画像データを補正部５でＲ、Ｇ、Ｂの３色のカラー画像にして補正を行なわせ、色変換部１１に２値化（白黒を行ない）させた後、画像メモリ１２に画像データを保存する。
【００６９】
主制御部２は、カラースキャナ４の読み取った原稿のページが抽出カラー設定部９に設定保存されている抽出ページ（設定ページ）とカウントページを比較して、カウントページが抽出ページであるかチェックする（ステップＳ３０５）。
【００７０】
ステップＳ３０５で、カウントページが抽出ページであると、主制御部２は、抽出カラー設定部９に保存したＲ、Ｇ、Ｂデータ（抽出カラー設定データ）に基づいて、補正部５で補正されたカラー画像から画像を抽出し、この抽出した画像と設定内容を画像合成部１３に合成及び２値化を行なわせて、画像メモリ１２に保存する（ステップＳ３０６）。
【００７１】
主制御部２は、画像メモリ１２に保存した送信画像データと抽出合成画像データへの位置合わせマークの合成を画像合成部１３に指示し、画像合成部１３は、画像メモリ１２に保存されている送信画像データと抽出合成画像データに位置合わせマーク（図７では、位置マークと記載。）を合成し、再度、画像メモリ１に保存する（ステップＳ３０７）。
【００７２】
主制御部２は、画像メモリ１２に保存した位置合わせマークの合成された送信画像データと抽出合成画像データを、符号圧縮変換部７に変換させ、通信制御部８に操作表示部３で指定された送信先に送信させる（ステップＳ３０８）。
【００７３】
１ページの送信処理を行うと、主制御部２は、ステップＳ３０３に戻って、上記同様に処理し、ステップＳ３０５で、カウントページが抽出ページでないときには、ステップＳ３０８に移行して、画像メモリ１２に保存した送信画像データのみを符号圧縮変換部７に変換させ、通信制御部８に操作表示部３で指定された送信先に送信させる（ステップＳ３０８）。
【００７４】
そして、主制御部２は、全てのページの処理を終了すると、処理を終了する。
【００７５】
したがって、送信先には、送信原稿のうち、抽出ページとして設定された送信原稿ページについてのみ、図８に示すように、位置合わせマークの合成された送信原稿の画像データ（送信画像データ）と、送信原稿のうち色指定された色部分として抽出し位置合わせマークの合成された抽出画像データとが送信され、抽出ページとして設定されていない送信原稿のページについては、位置合わせマークの合成されていない送信原稿の画像データのみが送信される。
【００７６】
このように、本実施の形態の複合装置１は、画像合成部１３が、合成カラー抽出データと画像メモリ１２のカラー原稿の画像データとの位置合わせ用の位置合わせマークを、当該合成抽出データと当該カラー原稿の画像データに合成し、当該位置合わせマークを合成した合成抽出データとカラー原稿の画像データを画像メモリ１２に記憶している。
【００７７】
したがって、受信側で原稿の画像と合成から抽出データの画像の位置合わせを位置合わせマークを利用して行えるようにして、白黒出力される原稿の画像のカラー部分がどの部分であるかをより一層正確に分かるようにすることができ、より一層利用性を向上させることができる。
【００７８】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００７９】
【発明の効果】
請求項１記載の発明の複合装置によれば、カラー原稿のうちカラー範囲として抽出するカラーデータを抽出カラー設定データとして操作手段で指定操作されると、当該設定された抽出カラー設定データを抽出カラー設定記憶手段に記憶し、抽出手段が、読取手段で読み取ってデータ記憶手段に格納されているカラー原稿のカラー画像データのうち抽出カラー設定記憶手段に記憶されている抽出カラー設定データに基づいて当該設定されているカラー部分の画像データを抽出するカラーデータ抽出処理を行い、画像合成手段が、当該抽出した画像データと抽出カラー設定記憶手段に記憶されている抽出カラー設定データを合成して合成カラー抽出データとしてデータ記憶手段に記憶させ、このデータ記憶手段のカラー原稿の画像データに合成カラー抽出データを付加した白黒画像データをファクシミリ送信するので、受信側で、合成カラー抽出データの画像に基づいて、白黒出力される原稿の画像のカラー部分がどの部分であり、何色であるかが分かるようにすることができ、利用性を向上させることができる。
【００８０】
請求項２記載の発明の複合装置によれば、カラー原稿が複数ページの原稿であると、操作手段で、ページ毎にカラーデータ抽出処理を行うか否かの設定を行えるようにし、抽出カラー設定記憶手段で、当該操作手段でのページ毎のカラーデータの抽出の有無の設定データをも記憶し、抽出手段で、当該抽出カラー設定記憶手段にカラーデータの抽出を行うページとして記憶されているカラー原稿のページのカラー画像データについてのみカラーデータ抽出処理を行うので、複数ページのカラー原稿であってもカラーデータ抽出処理を必要としないページについては、ユーザが適宜カラーデータ抽出処理を行わないページとして設定として、不必要なカラーデータ抽出処理時間を省くことができるとともに、送信データを削減することができ、処理時間を速くするとともに、通信時間と通信費を削減して、より一層利用性を向上させることができる。
【００８１】
請求項３記載の発明の複合装置によれば、画像合成手段が、合成カラー抽出データとデータ記憶手段のカラー原稿の画像データとの位置合わせ用の位置合わせマークを、当該合成抽出データと当該カラー原稿の画像データに合成し、当該位置合わせマークを合成した合成抽出データとカラー原稿の画像データをデータ記憶手段に記憶するので、受信側で原稿の画像と合成から抽出データの画像の位置合わせを位置合わせマークを利用して行えるようにして、白黒出力される原稿の画像のカラー部分がどの部分であるかをより一層正確に分かるようにすることができ、より一層利用性を向上させることができる。
【図面の簡単な説明】
【図１】本発明の複合装置の第１の実施の形態を適用した複合装置の要部回路ブロック図。
【図２】図１の複合装置で送信される送信原稿及び送信先に送信される送信画像データと抽出画像データの一例を示す図。
【図３】図１の操作表示部で原稿から抽出する抽出カラーの設定画面の一例を示す図。
【図４】図１の複合装置によるファクシミリ送信制御処理を示すフローチャート。
【図５】本発明の複合装置の第２の実施の形態を適用した複合装置の操作表示部で原稿から抽出する抽出カラーの設定画面の一例を示す図。
【図６】本発明の複合装置の第２の実施の形態を適用した複合装置によるファクシミリ送信制御処理を示すフローチャート。
【図７】本発明の複合装置の第３の実施の形態を適用した複合装置によるファクシミリ送信制御処理を示すフローチャート。
【図８】図７のファクシミリ送信処理で送信される送信原稿及び送信先に送信される送信画像データと抽出画像データの一例を示す図。
【符号の説明】
１　複合装置
２　主制御部
３　操作表示部
４　カラースキャナ
５　補正部
６　カラープリンタ
７　符号圧縮変換部
８　通信制御部
９　抽出カラー設定部
１０　画像抽出部
１１　色変換部
１２　画像メモリ
１３　画像合成部
１４　バス
【図１】
2004023539.tif 000003
【図２】
2004023539.tif 000004
【図３】
2004023539.tif 000005
【図４】
2004023539.tif 000006
【図５】
2004023539.tif 000007
【図６】
2004023539.tif 000008
【図７】
2004023539.tif 000009
【図８】
2004023539.tif 000010